(57)【要約】【課題】容易に操作コードを挿入又は取外しができ、自身も容易に柱面や壁面に取付け及び取外しされ、簡潔且つ強度に優れた構造であって、操作コードが絡まず事故を防止でき、遮光装置一帯の美観を損なわず、意匠性に優れた遮光装置の操作コードの留め具を提供する。【解決手段】遮光装置の操作コードの留め具１００は、樹脂製で、略直方体１により構成され、長手方向において、貫通孔５と開放窓６とを一体化して備える。側面２Ａ部は、上部６Ａ、中央部６Ｂ、下部６Ｃから構成され、貫通孔５から外部に開放される。中央部６Ｂは、略楕円形部９Ａ、９Ｂを備え、上下部６Ａ、６Ｃがそれぞれ絞り部１０Ａ、１０Ｂを持った開放形状とされる。また、側面２Ａ部は、開放窓６を介して対向する二つの対向側面部７Ａ、７Ｂから形成され、これら７Ａ、７Ｂはそれぞればね機能を備える。更に、略直方体１の側面２Ｃ部には、両面テープ１１が固着されている。【選択図】図１
0003154318.tif 000002
【実用新案登録請求の範囲】
【請求項１】
樹脂製の、長さが長い方向を長手方向とし、長さが短い方向を短手方向とした略直方体により構成され、
該略直方体は長手方向において、貫通して操作コードを挿入する貫通孔と、該貫通孔と一体に形成され、該略直方体の一つの側面部に、連続した上部、中央部および下部から構成されて、前記貫通孔から外部に開放された開放窓とを備え、
前記開放窓の中央部が操作コードに取付けたチェーンボールを挿入可能に略楕円形状に形成され、上下部がそれぞれ前記楕円形状を狭めた形の絞り部を持った開放形状とされ、前記開放窓が形成された略直方体の側面部は、前記開放窓を介して対向する二つの対向側面部から形成されてそれぞれの対向側面部がばね機能を備え、
前記側面部と対向する側面部の背面に両面テープが固着されていること
を特徴とする遮光装置の操作コードの留め具。
【考案の詳細な説明】
【技術分野】
【０００１】
本考案は、ブラインドやロール・スクリーン等の遮光装置の操作コード留め具に関する。
【背景技術】
【０００２】
一般に、ブラインドやロール・スクリーン等の遮光装置の操作コードには、円筒形状を有する紐状の操作コード又はその紐状のコードの所定間隔に樹脂製若しくは金属製の球状体であるチェーンボールを介して構成されたボールチェーン型の操作コード等が用いられている。そして、これら操作コードの操作部は、遮光装置の頭頂部の端部に設けられる構造となっている。
【０００３】
しかし、この構造により操作コードは操作部より垂下するため、遮光装置の美観を損ねたり、誤って幼児が操作コードに首を引掛けて怪我を負う等の事故を起こしたりする問題があった。そのため、上記の問題を解決すべく、従来、種々の発明又は考案がなされている。
【０００４】
特許文献１には、基部とその基部に略直角又は斜め方向に操作コードを巻付ける巻付け軸を突設し、巻付け軸の端部に狭着片を連結し、更に基部の側端部に操作棒を掛留めするフック状の係止片を設けた操作コード掛け具が記載されている。
【０００５】
また、特許文献２には、操作コードを狭持する長尺の第一狭持片及び第二狭持片と、第一狭持片の一端に第二狭持片を枢支させるヒンジ部材とを備え、更に第一狭持片の他端に被係止片、第二狭持片の他端に係止レバーを有する係止部を備えた操作コードの狭持具が記載されている。
【先行技術文献】
【特許文献】
【０００６】
【特許文献１】特開平８−１９３４７５号公報
【特許文献２】実用新案登録第３１４０７７３号公報
【考案の概要】
【考案が解決しようとする課題】
【０００７】
しかしながら、上記の特許文献に記載されたものにあっては、操作コードの取付けの際に操作コードを巻付けたり、手繰る必要があったりし、容易に操作コードを取付けできないばかりか、依然として遮光装置一帯の美観を損ねるという問題があった。更に、複数の部品を要して、構造が複雑であるという問題もあった。
【０００８】
本考案は、容易に操作コードを挿入又は取外しができ、自身も容易に柱面や壁面に取付け及び取外しができ、簡潔でありしかも強度に優れた構造であって、操作コードが絡まず事故を防止でき、遮光装置一帯の美観を損なわず、更に意匠性に優れた操作コードの留め具を提供することを目的とする。
【課題を解決するための手段】
【０００９】
本考案は、樹脂製の、長さが長い方向を長手方向とし、長さが短い方向を短手方向とした略直方体により構成され、該略直方体は長手方向において、貫通して操作コードを挿入する貫通孔と、該貫通孔と一体に形成され、該略直方体の一つの側面部に、連続した上部、中央部および下部から構成されて、前記貫通孔から外部に開放された開放窓とを備え、前記開放窓の中央部が操作コードに取付けたチェーンボールを挿入可能に略楕円形状に形成され、上下部がそれぞれ前記楕円形状を狭めた形の絞り部を持った開放形状とされ、前記開放窓が形成された略直方体の側面部は、前記開放窓を介して対向する二つの対向側面部から形成されてそれぞれの対向側面部がばね機能を備え、前記側面部と対向する側面部の背面に両面テープが固着されていることを特徴としている。
【考案の効果】
【００１０】
本考案は、上述のように構成しているので、操作コードは前記開放窓を介して容易に挿入でき、しかもこの開放窓の中央部は略楕円形状としているので、操作コードにチェーンボールが取付けてある場合にもこの中央部を介して貫通孔内に挿入でき、挿入した操作コードを対向側面部のばね機能でしっかりと押えた状態で柱面や壁面にしっかりと固定することができる。そして、操作コードは挿入又は取外し時以外は外部に外れることもなく、貫通孔外且つ自身を柱面や壁面から容易に取外しでき、操作コードが絡まず事故を防止でき、簡潔でありしかも強度に優れた構造であって、遮光装置一帯の美観を保ち、更に意匠性に優れた操作コードの留め具を提供することができる。
【図面の簡単な説明】
【００１１】
【図１】本考案の実施例の操作コードの留め具の表側の外観を示す概略斜視図。
【図２】本考案の実施例の操作コードの留め具の裏側の外観を示す概略斜視図。
【図３】本考案の実施例の操作コードの留め具のＡ−Ａ矢視断面図。
【図４】本考案の実施例の操作コードの留め具のＢ−Ｂ矢視断面図。
【図５】本考案の実施例の操作コードの留め具のＣ−Ｃ矢視断面拡大図。
【図６】図１の操作コードの留め具に紐状の操作コードを挿入した状態を示す図。
【図７】図１の操作コードの留め具にボールチェーン型の操作コードを挿入した状態を示す図。
【考案を実施するための形態】
【００１２】
以下、本考案の実施例を図面に基づいて説明する。
【実施例】
【００１３】
図１は、本考案の実施例である遮光装置の操作コードの留め具１００について、その表側からの外観を示し、図２はその裏側からの外観を示す。これらの図において、本考案の実施例である遮光装置の操作コードの留め具１００は、樹脂製であり、図１に示すように略直方体１により構成される。この略直方体１は、辺の長さが長い２Ａ、２Ｂ、２Ｃ、２Ｄの面と、辺の長さが短い３Ａ、３Ｂの面から形成される。また、この略直方体１は、各角部に曲線状部４を有し、角部がそれぞれ丸められた状態となっている。以下、略直方体１の辺の長さが長い方向を長手方向と言い、面２Ａ、２Ｂ、２Ｃ、２Ｄを略直方体１の側面と言う。また一方で、辺の長さが短い方向を短手方向と言い、面３Ａ、３Ｂを略直方体１の平面と言う。
【００１４】
操作コードの留め具１００となる略直方体１は、ポリアセタール（又は、ポリオキシメチレンとも言う。）等の樹脂素材により製造する。このポリアセタールは、機械的強度、耐摩耗性、耐疲労性等に優れ、また樹脂製品は一般的に金属と比べて軽量且つ弾性があり軟質であるために、耐久性及び加工容易性があって、安全性の高い遮光装置の操作コードの留め具を容易に製造することが可能となる。
【００１５】
略直方体１は、長手方向において、平面３Ａ面から３Ｂ面にかけて貫通して操作コードを挿入するための貫通孔５と、略直方体１の一つの側面２Ａ部に、貫通孔５から外部に開放された開放窓６とを備える。これら貫通孔５と開放窓６は、略直方体１の樹脂成形時に射出成形等により一体に形成される。この際、貫通孔５は、操作コード往復分、即ち２本分挿入できる大きさとすることが望ましい。これにより、操作コードをまとめて挿入することができ、遮光装置一帯の美観を保つことができる。尚、貫通孔５および開放窓６の側面断面と平面断面を図３、図４にそれぞれ示す。以下、側面２Ａ側を略直方体１の前面とする。
【００１６】
略直方体１の開放窓６が形成された側面２Ａ部は、開放窓６を介して対向する二つの対向側面部７Ａ、７Ｂから形成される。この構成により、これらそれぞれの対向側面部７Ａ、７Ｂは樹脂製のため良好なばね機能、即ち弾性力を備え、容易に対向側面部７Ａ、７Ｂを外側に広げることができるようになる。従って、操作コードの貫通孔５内外への挿入又は取外しは、対向側面部７Ａ、７Ｂを外側に広げるだけで容易になされる。また、対向側面部７Ａ、７Ｂは弾性力を有する樹脂製であるため、過度に広げない限り容易に破損することはなくなる。更に、これら対向側面部７Ａ、７Ｂの上下端部８Ａ、８Ｂは、図５のように、短手方向断面の形状を尖端状とすること、即ち尖端部８Ａ、８Ｂを有することが望ましい。これにより、開放窓６をより外側へ広げ易くなり、操作コードの貫通孔５内外への挿入又は取外しをより容易にすることができる。
【００１７】
開放窓６の上下部６Ａ、６Ｃはそれぞれ楕円形状部９Ａ、９Ｂを狭めた形の絞り部１０Ａ、１０Ｂを持った開放形状とされる。この絞り部１０Ａ、１０Ｂは、操作コードの幅より小さい幅とすることが望ましい。これにより、操作コードは、挿入後は貫通孔２内に固定されるので、挿入又は取外し時以外は容易に操作コードが外部に抜出すことがなくなる。例えば、図６に示すように紐状の操作コード１３を貫通孔５内に挿入した際、絞り部１０Ａ、１０Ｂがそれぞれ操作コード１３の幅よりも小さい幅であるので、操作コード１３は貫通孔５内に固定されるので、操作コード１３の挿入又は取外し時以外は外部に抜出すことがなくなる。従って、開放窓６の上下部６Ａ、６Ｃの絞り部１０Ａ、１０Ｂにより、容易に操作コードを貫通孔２内に固定することができる。また、これにより、操作コード１３が絡まず事故を防止することができる。
【００１８】
また、開放窓６は、上部６Ａ、中央部６Ｂおよび下部６Ｃがそれぞれ連続して構成される。そして、開放窓６の中央部６Ｂには、ボールチェーン型の操作コードに取付けたチェーンボールを挿入可能に略楕円形状に形成される。即ち、開放窓６の中央部６Ｂは、楕円形状部９Ａ、９Ｂを有することになる。これにより、図７に示すように、チェーンボール１３Ａと紐状のコード１３Ｂからなるボールチェーン型の操作コード１３を貫通孔５内に挿入する際に、チェーンボール１３Ａの部分が中央部６Ｂで挿入を妨げられることもなく、容易にボールチェーン型の操作コード１３の挿入又は取外しができるようになる。また、開放窓６の上下部に絞り部１０Ａ、１０Ｂにより、容易にボールチェーン型の操作コード１３を貫通孔２内に固定することができる。また、更に、ボールチェーン型の操作コード１３が絡まず事故を防止することができる。この際、開放窓６の上下部の絞り部１０Ａ、１０Ｂにも楕円形状部９Ａ、９Ｂのような略楕円形状を設けて、チェーンボール１３Ａを挿入又は取外しをよりし易くしてもよい。
【００１９】
更に、操作コードの留め具１００には、図２に示すように、略直方体１の側面２Ａ部と対向する側部の背面２Ｃ部に両面テープ１１が固着されている。この両面テープ１１により、図６および図７に示すように、操作コードの留め具１００は遮光装置が取り付けられている窓等に接した柱面又は壁面１４に容易に取付け又は取外しが可能となる。また、この両面テープ１１により、壁面や柱面１４を傷つけることもなく、簡単に操作コードの留め具１００の取付け又は取外しができる。また、この両面テープ１１の大きさは、各図に示すように、略直方体１の背面２Ｃよりも少し大きい程度が望ましい。これにより、遮光装置一帯の美観を損なわない範囲で、両面テープの壁面又は柱面１４への接着性を確保できる。
【００２０】
また、略直方体１の側面２Ｃ（即ち、側面２Ａの背面）および両面テープ１１の中央部には、図３および図４に示すように、ねじ取付け用貫通孔１５を設けても良い。このねじ取付け用貫通孔１５は、側面２Ｃ側の貫通孔１５Ａと両面テープ側の貫通孔１５Ｂとから構成される。これにより、ねじをねじ取付け用貫通孔１５に挿入し柱面や壁面に取り付けることで、操作コードの留め具１００の柱面又は壁面への取付けをより強固なものにすることができる。また、この略直方体１は、中央部６Ｂに楕円形状部９Ａ、９Ｂを備えるので、容易にねじを中央部６の楕円形状部９Ａ、９Ｂを介してねじ取付け用貫通孔１５に挿入することができる。
【００２１】
以上の構成により、操作コードの留め具１００は、略直方体１の各角部の曲線状部４や略直方体１の中央部６Ｂの楕円形状部９Ａ、９Ｂを有するので、全体的に滑らかな形状となり、意匠性に優れたものとすることができる。また、この操作コードの留め具１００を着色することにより、この意匠性をより良好に表現することができる。
【００２２】
本考案における遮光装置の操作コードの留め具は、弾性力を有する樹脂製であり、しかも貫通孔と開放窓を加工するだけで構成されるため、簡潔でありしかも強度に優れた構造となる。
【００２３】
本考案は、上述のように構成しているので、操作コードは前記開放窓を介して容易に挿入でき、しかもこの開放窓の中央部は略楕円形状としているので、操作コードにチェーンボールが取付けてある場合にもこの中央部を介して貫通孔内に挿入でき、挿入した操作コードを対向側面部のばね機能でしっかりと押えた状態で柱面や壁面にしっかりと固定することができる。そして、容易に操作コードを挿入又は取外しができ、自身も容易に柱面や壁面に取付け及び取外しができ、操作コードが絡まず事故を防止でき、簡潔でありしかも強度に優れた構造であって、遮光装置一帯の美観を保ち、更に意匠性に優れた操作コードの留め具を提供することができる。
【符号の説明】
【００２４】
１…略直方体、２Ａ、２Ｂ、２Ｃ、２Ｄ…略直方体の側面、３Ａ、３Ｂ…略直方体の平面、５…貫通孔、６…開放窓、６Ａ…上部、６Ｂ…中央部、６Ｃ…下部、７…側部、７Ａ、７Ｂ…対向側面部、９Ａ、９Ｂ…楕円形状部、１０Ａ，１０Ｂ…絞り部、１１…両面テープ、１００…操作コードの留め具。
【図１】
0003154318.tif 000003
【図２】
0003154318.tif 000004
【図３】
0003154318.tif 000005
【図４】
0003154318.tif 000006
【図５】
0003154318.tif 000007
【図６】
0003154318.tif 000008
【図７】
0003154318.tif 000009